(57)【要約】【課題】電子機器本体の電池室の形状が相違すると、外部電源装置の取付けが不可能となり、外部電源装置の取付け可能な電子機器が限定され、外部電源装置に汎用性がない。【解決手段】外部電源装置１の本体１０、接点台２０が別体に形成され、本体１０は接点台２０を複数の位置の一つで支持する２つの支持部１２を有し、たとえば、支持部１２は、接点台２０が係合されて支持される係合孔１２Ａ、１２Ｂとされる。そのため、接点台２０は異なる２つの位置で本体１０に支持可能となり、本体の支持部１２による接点台２０の支持位置を変えることによって、１つの外部電源装置１が、Ｘ軸方向に幅広の電池室を持つカメラ、Ｙ軸方向に幅広の電池室を持つカメラのいずれに対しても取付けられる。【選択図】図１
2007093969.tif 000002
【特許請求の範囲】
【請求項１】
電子機器に着脱可能に取付けられる外部電源装置において、
上記電子機器に電池パックの電力を供給するための電池接点を有し、上記電子機器の電池室に収納されて当該電池接点が該電池室の電池接点に接触する接点台と、
上記電池パックを収納し、上記接点台を複数の位置の一つに支持するための複数の支持  部を有する本体と、
を備えた外部電源装置。
【請求項２】
上記本体の支持部は、上記接点台を上記本体に対して着脱可能に支持することを特徴とする請求項１記載の外部電源装置。
【請求項３】
上記接点台、上記本体の支持部は、互いに接触可能な接点をそれぞれ有することを特徴とする請求項１、２記載の外部電源装置。
【請求項４】
上記接点台と上記本体の間は電気線で接続されていることを特徴とする請求項１、２記載の外部電源装置。
【請求項５】
上記本体の支持部は上記本体に形成された係合孔であり、上記接点台は上記係合孔に係合、支持される突状の係合部を有していることを特徴とする請求項１〜４記載の外部電源装置。
【請求項６】
電子機器に着脱可能に取付けられる外部電源装置において、
電池パックを収納した本体と、
上記電子機器に上記電池パックの電力を供給するための電池接点を有し、上記電子機器の電池室に収納されて当該電池接点が該電池室の電池接点に接触する接点台と、
上記接点台を上記本体上で複数の位置の一つに支持する支持手段と、
を備えた外部電源装置。
【請求項７】
上記支持手段は、上記接点台を上記本体に対して着脱可能に支持することを特徴とする請求項６記載の外部電源装置。
【請求項８】
上記接点台、上記支持手段は、互いに接触可能な接点をそれぞれ有することを特徴とする請求項６、７記載の外部電源装置。
【請求項９】
上記接点台と上記本体の間は電気線で接続されていることを特徴とする請求項６、７記載の外部電源装置。
【請求項１０】
上記支持手段は、上記本体に形成された係合孔と、上記接点台に形成され、該係合孔に係合、支持される突状の係合部とを有することを特徴とする請求項６〜９記載の外部電源装置。
【発明の詳細な説明】
【技術分野】
【０００１】
本発明は、銀塩カメラ、デジタルカメラ、デジタルビデオカメラ、ＤＶＤプレーヤー、ＣＤプレーヤー、携帯電話などの電池を電源とする電子機器などに着脱自在に取付けられる外部電源装置に関する。
【背景技術】
【０００２】
図８（Ａ）（Ｂ）は、電子機器の一例である（デジタル一眼レフ）カメラの斜視図を示し、図９（Ａ）（Ｂ）は外部電源装置の斜視図を示し、図１０（Ａ）（Ｂ）は外部電源装置（および電池室カバー）を除いたカメラの底面図を示す。
図８（Ａ）（Ｂ）に示すように、カメラ本体１１０Ａ、１１０Ｂの側部（たとえば、被写体側から見て左側）に膨出円弧形状のグリップ部１１０Ａａ、１１０Ｂａが設けられ、ブリップ部の内部は電池室１１０Ａｂ、１１０Ｂｂ（図１０（Ａ）（Ｂ）参照）となって、単三型電池や充電式電池などが電池室に収納されるように構成されている。そして、電池の消耗が激しい撮影などにおいては、充電式電池（電池パック）２１０Ａａ、２１０Ｂａ（図９（Ａ）（Ｂ）参照）などを内蔵する長寿命の外部電源装置２００Ａ、２００Ｂがカメラ１００Ａ、１００Ｂの底面に着脱自在に取付けられる。なお、図９（Ａ）（Ｂ）において、参照符号２１０Ａｂ、２１０Ｂｂは三脚ねじ、２１０Ａｃ、２１０Ｂｃは三脚ねじを回転させるためのダイアルであり、三脚ねじをカメラ本体底面のねじ孔１１０Ａｃ、１１０Ｂｃ（図１０参照）に螺着させて、外部電源装置２００Ａ、２００Ｂがカメラ１００Ａ、１００Ｂに取付けられる。なお、図１０（Ａ）（Ｂ）において、電池室１１０Ａｂ、１１０Ｂｂの電池室カバーは省略されている。
【０００３】
電池室１１０Ａｂ、１１０Ｂｂはカメラの上下方向に伸びた形状をしており、電池室の奥方向の上端角部に電池接点（電気接点）１１０Ａｅ、１１０Ｂｅが設けられている。そして、外部電源装置２００Ａ、２００Ｂの使用時には、電池室１１０Ａｂ、１１０Ｂｂに単三型電池などを収納する代わりに、電池室の電池接点１１０Ａｅ、１１０Ｂｅに外部電源装置側の電気接点を接触させて、外部電源装置の電池パック２１０Ａａ、２１０Ｂａをカメラ本体１１０Ａ、１１０Ｂの電気回路に導通させる必要がある。
【０００４】
そのため、公知の外部電池装置２００Ａ、２００Ｂにおいては、上端に電池接点（接点群）２２０Ａａ、２２０Ｂａを持つ接点台（コネクタ部）２２０Ａ、２２０Ｂを外部電源装置の本体２１０Ａ、２１０Ｂの上面から直立させ、接点台がカメラ本体の電池室１１０Ａｂ、１１０Ｂｂに入り込んで、接点台上端角部の接点群が電池室の電池接点に接触する構成となっている（たとえば特開２０００−２３５２２１号公報）。
【特許文献１】特開２０００−２３５２２１号公報
【発明の開示】
【発明が解決しようとする課題】
【０００５】
たとえば、図８（Ａ）（Ｂ）および図１０（Ａ）（Ｂ）に示すように、対応するカメラには、Ｘ軸方向に幅広の電池室１１０Ａｂを持つカメラ１００Ａと、Ｙ軸方向に幅広の電池室１１０Ｂｂを持つカメラ１００Ｂとに大別される。そして、図９（Ａ）（Ｂ）に示すように、Ｘ軸方向に幅広の接点台２２０Ａを持つタイプの外部電源装置２００Ａと、Ｙ軸方向に幅広の接点台２２０Ｂを持つタイプの外部電源装置２００Ｂとがあり、それらの接点台（コネクタ部）２２０Ａ、２２０Ｂは長方体形状とされ、外部電源装置の本体２１０Ａ、２１０Ｂと一体的に形成されてその位置が固定されている。ここで上述のＸ軸方向とはカメラを正面から見て左右方向をいい、上述のＹ軸方向とはカメラを正面から見て前後方向をいう。
なお、図１０（Ａ）（Ｂ）において、参照符号１１０Ａｄ、１１０Ｂｄはカメラ本体の電池室１１０Ａｂ、１１０Ｂｂの開口の防水用段部であり、この段部の側壁にたとえば電池室カバー（図示しない）のオーリングが接触して電池室の防水が確保される。
【０００６】
そのため、たとえば、Ｘ軸方向に幅広の接点台２２０Ａを持つ外部電源装置２００ＡはＸ軸方向に幅広の電池室を持つカメラ１００Ａにしか使用できず、カメラの電池室の形状に対応した形状の接点台を持つ外部電源装置をそれぞれ用意する必要がある。
このように、電子機器本体（たとえば、カメラの本体）の電池室の形状が相違すれば、外部電源装置の取付けが不可能となり、外部電源装置の取付け可能な電子機器が限定され、外部電源装置に汎用性がない。
また、接点台は外部電源装置と一体的に形成されているため、接点台が大きな突起となり、外部電源装置が全体的に略Ｌ字形状となる。そのため、外部電源装置がかさばり、外部電源装置の持ち運びが容易でなく、外部電源装置の持参を躊躇することもある。
【課題を解決するための手段】
【０００７】
請求項１記載の本発明によれば、電子機器に着脱可能に取付けられる外部電源装置において、上記電子機器に電池パックの電力を供給するための電池接点を有し、上記電子機器の電池室に収納されて当該電池接点が該電池室の電池接点に接触する接点台と、上記電池パックを収納し、上記接点台を複数の位置の一つに支持するための複数の支持部を有する本体と、を備える。
【０００８】
請求項２記載の本発明によれば、上記本体の支持部は、上記接点台を上記本体に対して着脱可能に支持する。
【０００９】
請求項３記載の本発明によれば、上記接点台、上記本体の支持部は、互いに接触可能な接点をそれぞれ有する。
【００１０】
請求項４記載の本発明によれば、上記接点台と上記本体の間は電気線で接続されている。
【００１１】
請求項５記載の本発明によれば、上記本体の支持部は上記本体に形成された係合孔であり、上記接点台は係合孔に係合、支持される突状の係合部を有する。
【００１２】
請求項６記載の本発明によれば、電子機器に着脱可能に取付けられる外部電源装置において、電池パックを収納した本体と、上記電子機器に上記電池パックの電力を供給するための電池接点を有し上記電子機器の電池室に収納されて当該電池接点が該電池室の電池接点に接触する接点台と、上記接点台を上記本体上で複数の位置の一つに支持する支持手段と、を備える。
【００１３】
請求項７記載の本発明によれば、上記支持手段は、上記接点台を上記本体に対して着脱可能に支持する。
【００１４】
請求項８記載の本発明によれば、上記接点台、上記支持手段は、互いに接触可能な接点をそれぞれ有する。
【００１５】
請求項９記載の本発明によれば、上記接点台と上記本体の間は電気線で接続されている。
【００１６】
請求項１０記載の本発明によれば、上記支持手段は、上記本体に形成された係合孔と、上記接点台に形成され、該係合孔に係合、支持される突状の係合部とを有する。
【発明の効果】
【００１７】
請求項１記載の本発明では、本体が接点台を複数の位置の一つに支持するための複数の支持部を有しているため、電池室の位置の相違する電子機器に対しても、支持する支持部を変えて接点台の支持位置を変えることによって共通の外部電源装置が複数の電子機器に取付けられ、汎用性のある外部電源装置が得られる。
【００１８】
請求項２記載の本発明では、本体の支持部が接点台を本体に対して着脱可能に支持するため、接点台を支持部から取り外せば、本体、接点台が分離されて外部電源装置がかさばらず、外部電源装置を容易に持ち運びできる。
【００１９】
請求項３記載の本発明では、接点台、本体の支持部は、互いに接触可能な接点をそれぞれ有するため、接点台を本体の支持部に支持させるだけで、接点台を経由して電子機器に電力を供給できる。
【００２０】
請求項４記載の本発明では、接点台、本体の間が電気線で接続されているため、接点台、本体の支持部に互いに接触可能な接点を設けることなく、接点台、本体の構成を簡単化できる。
【００２１】
請求項５記載の本発明では、本体の支持部を本体に形成された係合孔として、本体を突起体のない面形状としたため、本体が突起体のないすっきりした形状に形成できる。
【００２２】
請求項６記載の本発明では、接点台を本体上で複数の位置の一つに支持する支持手段を有しているため、電池室の位置の相違する電子機器に対しても、接点台の支持位置を変えることによって共通の外部電源装置が複数の電子機器に取付けられ、汎用性のある外部電源装置が得られる。
【００２３】
請求項７記載の本発明では、支持手段が接点台を本体に対して着脱可能に支持するため、接点台を支持部から取り外せば、本体、接点台が分離されて外部電源装置がかさばらず、外部電源装置を容易に持ち運びできる。
【００２４】
請求項８記載の本発明では、接点台、支持手段は、互いに接触可能な接点をそれぞれ有するため、接点台を支持手段に支持させるだけで、接点台を経由して電子機器に電力を供給できる。
【００２５】
請求項９記載の本発明では、接点台、支持手段の間が電気線で接続されているため、接点台、支持手段に互いに接触可能な接点を設けることなく、接点台、本体の構成を簡単化できる。
【００２６】
請求項１０記載の本発明では、支持手段が本体に形成された係合孔と、接点台に形成されて係合孔に係合、支持される突状の係合部とを有し、本体を突起体のない面形状としたため、本体が突起体のないすっきりした形状に形成できる。
【発明を実施するための最良の形態】
【００２７】
本発明では、たとえば、接点台を複数の位置の一つで支持する複数の支持部を有して本体が形成されているため、支持する支持部を変えて接点台の支持位置を変えることによって共通の外部電源装置が、位置の相違する電池室を持つ複数の電子機器に対しても取付けられる。
【実施例１】
【００２８】
以下図面を参照しながら本発明の実施例を詳細に説明する。図１は本発明の実施例１に係る外部電源装置の斜視図、図２は図１中の矢視方向から見た外部電源装置の接点台の正面図、図３は図１の反矢視方向から見た外部電源装置の接点台の裏面図、図４（Ａ）（Ｂ）は図１のＡ−Ａ、Ｂ−Ｂに沿った外部電源装置の本体の部分断面図を示す。
【００２９】
図１に示すように、外部電源装置１は、電池パック１０ａを収納する本体１０と、本体と別体に形成されて電子機器の電池室に収納される接点台２０とを備え、本体は接点台を複数の位置の一つで支持する複数の、実施例では２つの支持部１２（１２Ａ、１２Ｂ）を有している。
【００３０】
接点台２０は、図１〜３に示すように、カメラの電池室に挿入される電池と略同じ形状をして、その上端角部に３つの接点（電池接点）２０ａ１からなる接点群２０ａを持つとともに、その底面には下方に伸びた突部２０ｂが一体に形成されている。そして、この突部２０ｂは、後述するように、係合孔からなる支持部１２に係合（嵌合）される突状の係合部となる。
接点台２０はその下端にフランジ２０ｃを有し、オーリング２０ｄがこのフランジ外周に形成された円周溝(図示しない)に嵌められている。このオーリング２０ｄは、接点台２０がカメラ本体の電池室に収納されたとき、電池室の防水用段部の側壁に圧接されて電池室を防水シールする。
【００３１】
突状の係合部（突部）２０ｂは下段部２０ｂ１と下段部より横幅の大きな上段部２０ｂ２とからなる段付形状とされ、オーリング２０ｅが上段部に形成された円周溝に嵌められている。そして、上端の接点群の接点２０ａ１にリード線２０ｆ（図５参照）によってそれぞれ連結された対応する３つの接点２０ｇ１からなる接点群２０ｇが下段部２０ｂ１の側面に設けられている。ここで、接点台下端の突状の係合部２０ｂが本体の支持部（係合孔）１２に係合（嵌合）されるとき、下段部２０ｂ１は接点台２０の位置を決める位置決め突部として機能するのに対して、オーリング２０ｅ付の上段部２０ｂ２は接点台の下端の接点群２０ｇと本体１０の後述する接点群を防水するための係合台部として機能する。
【００３２】
本体の支持部１２（１２Ａ、１２Ｂ）は、実施例では、本体上面に形成されて互いに直交する方向に伸びた２つの係合孔として具体化されている。
図４（Ａ）（Ｂ）は図１のＡ−Ａ、Ｂ−Ｂに沿った本体１０の部分断面図であり、支持部１２Ａの断面形状を示す。接点台底面の突状の係合部２０ｂが段付形状に形成されているのに対応して、図４（Ａ）（Ｂ）に示すように、係合孔１２も防水用段部１２ａを持つ段付形状をしている。係合孔の形態をとる支持部１２の下段部１２ｂの内周壁面には、３つの接点１２ｃ１からなる接点群１２ｃが、外部に露出するように設けられている。つまり、下段部１２ｂの側壁に３つの接点孔（逃げ孔）１２ｄが形成され、下段部１２ｂの底面にねじ止めされた略Ｌ字形の銅板片（接片）からなる接点１２ｃ１の上半部が接点孔方向に弾性変形可能に接点孔１２ｄに面して上方に伸びている。そして、電池パック１０ａと電気的に接続されたリード線（電気線）１２ｅが接点１２ｃ１の下端にハンダ付けされている。
【００３３】
図５は接点台２０を本体の支持部（係合孔）１２（１２Ａ）に係合、支持させた、図４（Ｂ）に対応する拡大部分断面図を示す。
図５に示すように、接点台下端の接点２０ｇ１が、支持部の接点群１２ｃの対応する接点１２ｃ１に接触しながら、接点１２ｃ１を接点孔１２ｄの方向に変形させて、接点台の位置決め突部（下段部）２０ｂ１が支持部の下段部１２ｂに係合される。同時に、側面のオーリング２０ｅを防水用段部１２ａの側壁に圧接させながら、接点台の係合台部（上段部）２０ｂ２が、支持部の上段部１２ｆに係合されることにより、接点台２０が本体の支持部１２（１２Ａ）に着脱可能に支持される。
【００３４】
接点台２０が本体の支持部（係合孔）１２に支持されて、接点台接点２０ｇ１（接点台下端の接点）が支持部の接点群１２ｃの対応する接点（本体接点）１２ｃ１に接触することにより、本体内の電池パック１０ａが、リード線１２ｅ、本体接点１２ｃ１、接点台接点２０ａ１、リード線２０ｆを介して接点台上端の接点２０ａ１と電気的に導通される。
【００３５】
図６（Ａ）は、接点台２０が本体の支持部１２（１２Ａ）に係合、支持されて、本体１０、接点台２０が一体化された外部電源装置１の斜視図を示す。一体化された本体１０、接点台２０を持つ外部電源装置１は、図９（Ａ）の公知の外部電源装置２００Ａと同一の形状となり、図１０（Ａ）に示すＸ軸方向に幅広の電池室１１０Ａｂにその接点台２０を収納させることにより、カメラ１００Ａに着脱可能に取付けられる（図８（Ａ）参照）。
参照符号１０ｇは三脚ねじ、１０ｈは三脚ねじのダイアルを示し、カメラ１００Ａへの外部電源装置１の取付けの際には、ダイアル１０ｈを回動させることにより三脚ねじ１０ｇがカメラ本体底面のねじ孔１１０Ａｃに螺着される。
【００３６】
支持部としての係合孔１２Ａについて述べたが、係合孔１２Ａと直交する係合孔１２Ｂの線Ａ’−Ａ’、Ｂ’−Ｂ’に沿った断面は、係合孔１２Ａの線Ａ−Ａ、Ｂ−Ｂに沿った断面である図４（Ａ）（Ｂ）、図５と同一であり、係合孔１２Ｂは係合孔１２Ａと同一の形状であるため、その詳細な説明は省略する。
【００３７】
接点台２０を本体の支持部（係合孔）１２Ｂに係合、支持させて、本体１０、接点台２０を一体化すれば、外部電源装置１は、図６（Ｂ）に示す形状をとり、図９（Ｂ）の公知の外部電源装置２００Ｂと同一形状となる。そして、外部電源装置１を図１０（Ｂ）に示すＹ軸方向に幅広の電池室１１０Ｂｂにその接点台２０を収納させることにより、カメラ１００Ｂに着脱可能に取付けられる（図８（Ｂ）参照）。
【００３８】
このように外部電源装置１の本体１０、接点台２０が別体に形成され、本体が接点台の係合、支持される２つの支持部（係合孔）１２Ａ、１２Ｂを有して形成されることにより、接点台が異なる２つの位置で支持部１２、つまりは本体１０に支持される。そして、接点台２０が本体１０に支持されて本体と一体化された外部電源装置１の形状は、公知の２つのタイプの外部電源装置２００Ａ、２００Ｂと同一形状となる。そのため、本体の支持部１２による接点台２０の支持位置を変えることによって、共通の外部電源装置１が、Ｘ軸方向に幅広の電池室１１０Ａｂを持つカメラ１００Ａ、Ｙ軸方向に幅広の電池室１１０Ｂｂを持つカメラ１００Ｂのいずれに対しても取付け可能となり、汎用性のある外部電源装置が得られる。
【００３９】
接点台２０が本体１０と別体に形成されて、本体の支持部１２に着脱可能に支持される構成であるため、接点台を支持部から取り外して本体から分離すれば、外部電源装置１はかさばらない形状となる。そのため、外部電源装置１を容易に持ち運びでき、従来では持参を躊躇する場所に対しても気楽に持参できる。
【００４０】
接点台２０、本体の支持部１２は、互いに接触可能な接点２０ｇ１、１２ｃ１をそれぞれ有するため、接点台を本体の支持部に係合、支持させるだけで、接点台を経由して電子機器に外部電源装置１の本体内の電池パック１０ａの電力を供給できる。
【実施例２】
【００４１】
互いに接触可能な接点２０ｇ１、１２ｃ１を本体の支持部１２、接点台２０にそれぞれ設けることなく、リード線（電気線）で本体１０、接点台２０を直接電気的に接続してもよい。図７は本発明の実施例２に係る外部電源装置の斜視図を示し、実施例１と同じ部材には同一の参照符号が付されている。
図７に示すように、本体１０、接点台２０はリード線（電気線）１４で接続されており、接点台を本体に支持させたとき、余ったリード線を収納する収納溝１４ａが本体上面に形成されている。収納溝１４ｋは２つの係合孔１２（１２Ａ、１２Ｂ）に連通する誘導路１４ａ１、１４ａ２を有して形成される。なお、リード線１４は実際より長く、誇張して図示されている。たとえば、電力供給のために必要な多芯線からなるリード線１４が使用される。
【００４２】
この実施例２においても、接点台下端の段付形状の突状の係合部２０ｂが段付孔である係合孔１２（１２Ａ、１２Ｂ）に係合（嵌合）されて、接点台２０が本体１０に支持される。ここで、接点台２０が係合孔１２Ａに係合される場合には、リード線１４は係合孔１２Ａに連通する誘導路１４ａ１を介して収納溝１４ａに収納され、係合孔１２Ｂに係合される場合には、係合孔１２Ｂに連通する誘導路１４ａ２を介して収納溝１４ａに収納される。そして、接点相互の接触は不要であるため、接点台の係合部２０ｂおよび本体１０の接点群がいずれも不要となり、さらに、係合部２０ｂから防水シール（オーリング）２０ｄ、２０ｅが、係合孔１２から接点孔１２ｄがそれぞれ省略される。
なお、参照符号１４ｂはリード線１４の挿通孔を防水する円筒形状の防水シールを示し、係合孔１２（１２Ａ、１２Ｂ）に接点台の係合部２０ｂを係合する際には、接点台の防水シール１４ｂはリード線の誘導路１４ａ１、１４ａ２内に位置する。
【００４３】
このように、本体１０、接点台２０間をリード線１４で接続すれば、接点台、本体の支持部に互いに接触可能な接点を設ける必要がなく、接点台、本体の構成を簡単化できる。
【００４４】
本体１０、接点台２０間を１本のリード線１４で接続する代わりに、コネクタ（接続端子）付のリード線を接点台、本体からそれぞれ伸ばし、２本のリード線をコネクタ（接続端子）で連結して、接点台、本体を電気的に接続してもよい。
前者の１本のリード線１４で本体１０、接点台２０間を接続する構成では、本体、接点台がリード線で常に連結されているため、本体、接点台のいずれか一方だけを紛失したり、持参し忘れることもない。
他方、後者のコネクタ付のリード線で本体１０、接点台２０間を接続する構成では、予期しない外力によるリード線の断線が防止される。
【００４５】
本体の支持部１２は、実施例では２つの直交する係合孔１２Ａ、１２Ｂとして具体化されているが、その形状は係合孔に限定されず、その数も２つに限定されない。しかし、実施例のように、支持部１２を本体上面の係合孔とし、その係合孔に係合、支持される突状の係合部２０ｂを接点台２０の底面に設けた構成では、本体上面が突起体のない面形状となり、本体を突起体のないすっきりした形状に形成できる。
なお、本体１０に形成された支持部１２（１２Ａ、１２Ｂ）と接点台２０に形成されて係合孔に係合、支持される突状の係合部２０ｂとからなるものを支持手段ということもできる。
なお、実施例では接点群は３個の接点で示したが、陽極（＋）と陰極（−）の２個の接点から接点群を形成してもよく、接点の数は３個に限定されず、その数は必要に応じて設定される。
【００４６】
上記のように、本発明によれば、接点台を複数の位置で支持する支持部（支持手段）を有しているため、電池室の位置の相違するカメラに対しても、接点台の支持位置を変えることによって共通の外部電源装置が複数のカメラに取付けられ、汎用性のある外部電源装置が得られる。
【産業上の利用可能性】
【００４７】
本発明は、銀塩カメラ、デジタルカメラ、デジタルビデオカメラなどのカメラ類に適するとはいえ、これらに限定されず、ＤＶＤプレーヤー、ＣＤプレーヤー、携帯電話などの電池を電力供給源とする携帯用電子機器にも広範囲に応用できる。
【図面の簡単な説明】
【００４８】
【図１】本発明の一実施例に係る外部電源装置の斜視図を示す。
【図２】図１の矢視方向から見た外部電源装置の接点台の側面図を示す。
【図３】図１の反矢視方向から見た外部電源装置の側面図を示す。
【図４】（Ａ）（Ｂ）は図１のＡ−Ａ、Ｂ−Ｂに沿った本体の部分断面図を示す。
【図５】接点台を本体の支持部（係合孔）に係合、支持させた、図４（Ｂ）に対応する拡大部分断面図を示す。
【図６】（Ａ）（Ｂ）は、接点台が本体の支持部の２つの異なる位置に支持された外部電源装置の斜視図を示す。
【図７】本発明の他の実施例に係る外部電源装置の斜視図を示す。
【図８】（Ａ）（Ｂ）は、電子機器の一例である２種類の（デジタル一眼レフ）カメラの斜視図を示す。
【図９】（Ａ）（Ｂ）は公知の２種類の外部電源装置の斜視図を示す。
【図１０】（Ａ）（Ｂ）は、外部電源装置(および電池室カバー)を除いた、図８（Ａ）（Ｂ）のカメラの底面図を示す。
【符号の説明】
【００４９】
１                      外部電源装置
１０                    外部電源装置の本体
２０                    外部電源装置の接点台
２０ａ、２０ｇ          外部電源装置の上下の接点群（接点台接点群）
２０ｂ                  突状の係合部
２０ｂ１、２０ｂ２             突状の係合部の下段部（位置決め突部）、上段部（係合台部）
１２（１２Ａ、１２Ｂ）  本体の支持部（係合孔）
１２ｃ                  支持部の接点群（本体接点群）
１４                    リード線（電気線）
１４ａ                  リード線の収納溝
１００Ａ、１００Ｂ             （デジタル一眼レフ）カメラ
１１０Ａ、１１０Ｂ             カメラの本体
１１０Ａｂ、１１０Ｂｂ    電池室
１１０Ａｅ、１１０Ｂｅ    本体の接点群
２００Ａ、２００Ｂ             (公知の)外部電源装置
２１０Ａ、２１０Ｂ             外部電源装置の本体
２２０Ａ、２２０Ｂ             外部電源装置の接点台
２２０Ａａ、２２０Ｂａ  接点台の接点群
【図１】
2007093969.tif 000003
【図２】
2007093969.tif 000004
【図３】
2007093969.tif 000005
【図４】
2007093969.tif 000006
【図５】
2007093969.tif 000007
【図６】
2007093969.tif 000008
【図７】
2007093969.tif 000009
【図８】
2007093969.tif 000010
【図９】
2007093969.tif 000011
【図１０】
2007093969.tif 000012